(57)【要約】      （修正有）【課題】薄くて軽いシート状、シーツ状のトイレシートが、簡単に捲れたり剥がれたりしないペット用のトイレシートを提供する。【解決手段】長方形等の通水性不織布シート、吸水ポリマーシート、防水性プラスチックフイルム等を１枚のシート状に積層構成したトイレシートおいて、該トイレシートの裏面側の全面、又は、隅部、周辺部、中央部、その他の目的部分に粘着シート若しくはテープを粘着する等の適宜手段で粘着性を付与して、裏面側の全面、若しくは、隅部、周辺部、中央部、その他の目的部分に粘着部を備えたものである。【選択図】図２
0003121934.tif 000002
【実用新案登録請求の範囲】
【請求項１】
長方形その他適宜形状で略同形同大の通水性不織布シート、吸水ポリマーシート、防水性プラスチックフイルム等を１枚のシート状に積層構成したトイレシートであり、ペットが表面側にした尿を吸水ポリマーシートで吸水保持して周囲及び裏面側を濡らさないように備えたものであるペット用のトイレシートにおいて、
該トイレシートの裏面側の全面、又は、隅部、周辺部、中央部、その他の目的部分に粘着シート若しくはテープを粘着する等の適宜手段で粘着性を付与して、裏面側の全面、若しくは、隅部、周辺部、中央部、その他の目的部分に粘着部を備えたものである、
ペット用のトイレシート。
【請求項２】
トイレシートの裏面側の全面、又は、隅部、周辺部、中央部、その他の目的部分に粘着部を備える手段は、トイレシートの裏面側の想定粘着部に、両面粘着シート若しくはテープの片面を粘着し、または、同部分に粘着剤・接着剤等を塗布、印刷するなど、同部分に目的とする粘着力を付与する手段であれば任意であり、
該トイレシートを床面等に展開敷設したときに、トイレシートが粘着部の粘着力で簡単に捲れたり、剥がれたりないように、また、該トイレシートを交換、廃棄等のために床面等から剥がし取るときに、床面等に粘着片が残存したり、剥がし跡や汚れが付着したりせず奇麗に剥がし取れるように、粘着部の粘着力を調整して備えたものである、
請求項1のペット用のトイレシート。
【考案の詳細な説明】
【技術分野】
【０００１】
近時、ペット（主として犬、猫）は多くの場合、室内・屋内で飼育されているが、そのペットの糞尿の処理は飼主にとって大きな問題であり、その対策、特に尿の対策用として市販の「トイレシート」を使用することが広く一般的に行なわれている。
【０００２】
該トイレシートは、通例、長方形の薄く通水性の不織布とシート状の吸水ポリマー、及び防水性プラスチックフイルム等を積層し、通常は積層したこれらの周辺部を加熱溶着、接着剤等の適宜の接着手段で一体的に接着して、１枚のシート状に構成したものであり、
【０００３】
該トイレシートを、居間等の床面、ペットのトイレ用プラスチックトレイ、ベット、カドラー、小屋、若しくは、トイレと決めている場所、その他の場所（以下、床面等と記す。）に拡げて敷いて置き、主としてペットの尿を吸収、保持させて、床面等及びその周辺を糞尿で濡らしたり汚したりしないようにする目的で使用しているものである。
【特許文献１】実願２００５−０１１０６０号
【特許文献２】実願２００６−０００３２６号
【考案の開示】
【考案が解決しようとする課題】
【０００４】
而して、従来のトイレシートは、通常、通水性の不織布、シート状の吸水ポリマー、防水性プラスチックフイルム等を積層構成した薄くて軽いシート状、シーツ状のものであるため、
ペットが、日常的にその上に乗り、歩き回り、寝そべり、寝返りを打ち、躓くなどしただけで、或いは、風で煽られるだけで、簡単に捲れ上がったり、また皺々になり片寄ってしまったりして、平面状に展開した状態で発揮することができる吸水用シート、シーツとしての役目を有功に果たさない場合が生じ易く、更に、幼いペットなどはトイレシートが簡単に捲れると、咬んだり喰いちぎったりして遊んでグチャグチャにしてしまうことが多々あった。
【０００５】
その結果、トイレシートを使用しているにかかわらず、尿が床面等を濡らし汚してしまって、その度に、飼主は、汚く不潔な状態の掃除が非常に大変である上に、それが度重なると床面等の汚れ、臭気等が洗浄等しても容易に落ちなくなってしまうという、極めて重大な欠点があった。
【０００６】
よって、上記従来のように、薄くて軽いシート状、シーツ状のトイレシートが、簡単に捲れたり剥がれたりして、上記のような事態を生じることがないように、予め構成したものを提供することが極めて重大な課題とされてきたものである。
【課題を解決するための手段】
【０００７】
そこで、本考案は、長方形その他適宜形状で略同形同大の通水性不織布シート、吸水ポリマーシート、防水性プラスチックフイルム等を１枚のシート状に積層構成したトイレシートであり、ペットが表面側にした尿を吸水ポリマーシートで吸水保持して周囲及び裏面側を濡らさないように備えたものであるペット用のトイレシートにおいて、
【０００８】
該トイレシートの裏面側の全面、又は、隅部、周辺部、中央部、その他の目的部分に粘着シート若しくはテープを粘着する等の適宜手段で粘着性を付与して、裏面側の全面、若しくは、隅部、周辺部、中央部、その他の目的部分に粘着部を備えたものである、ペット用のトイレシートによって課題を解決したものである。
【考案の効果】
【０００９】
従来のトイレシートの場合は、薄くて軽いシート状、シーツ状のものであるため、簡単に捲れたり剥がれたり、また皺々になり片寄ってしまったりし易く、その結果、ペットの尿が床面等を濡らし汚してしまう極めて重大な欠点があったが、
【００１０】
その点、本考案のトイレシートは、その裏面側の全面、又は、隅部、周辺部、中央部、その他の目的部分に粘着部を備えたため、
該トイレシートを床面等に展開敷設したときに該粘着部が床面等に粘着して簡単に捲れたり剥がれたりすることなく安定して保持することができ、よって、平面状に展開した状態で発揮する吸水用シート、シーツとしての役目を有功に発揮できて、ペットの尿が床面等を濡らし汚すことがない、極めて優れた効果がある。
【００１１】
また、本考案のトイレシートは、その粘着部の粘着力を調整して備えたものであるので、簡単に捲れたり剥がれたりしないと共に、該トイレシートを交換、廃棄等のために床面等から剥がし取るときに、床面等に粘着片が残存したり、剥がし跡や汚れが付着したりせず奇麗に剥がし取れる優れた特徴がある。
【００１２】
更に、本考案のトイレシートの粘着部は、トイレシートの裏面側の想定粘着部に、両面粘着シート若しくはテープの片面を粘着するとか、同部分に粘着剤・接着剤等を塗布、印刷するなどの手段で容易に設け得るので、従来のトイレシートに比し、コスト的にさしたる相違なしに提供し得る利点がある。
【考案を実施するための最良の形態】
【００１３】
長方形の通水性不織布シート、吸水ポリマーシート、防水性プラスチックフイルム等を１枚のシート状に積層構成したトイレシートであり、該トイレシートの裏面側の全面、又は、隅部、周辺部、中央部、その他の目的部分に粘着シート若しくはテープの片面を粘着して粘着部を設けた、ペット用のトイレシート。
【実施例１】
【００１４】
本考案の実施例１につき説明する。
図１は本考案実施例１の表面図、及び、右側面図、図２は図１の裏面図、図３は図２のＡ−Ａ線矢視断面一部拡大図である。
【００１５】
符号１はペット用のトイレシート、２は通水性不織布シート、３は吸水ポリマーシート、４は防水性プラスチックフイルム、５は粘着部、６は剥離紙である。
【００１６】
実施例１は、長方形の略同形同大のシート状に形成した通水性不織布シート２、吸水ポリマーシート３、及び防水性プラスチックフイルム４を１枚のシート状に積層構成したトイレシート１であり、ペットが表面側にした尿を吸水ポリマーシート３で吸水保持して周囲及び裏面側を濡らさないように備えたものであるペット用のトイレシート１において、
【００１７】
該トイレシート１の裏面側の４隅部、中央部等に両面粘着テープの片面を粘着して粘着部５を備えたものであり、該トイレシート１を床面等に展開敷設するときに両面粘着テープの他の面の剥離紙６を剥がし粘着部５を露出して床面等に粘着敷設するように備えた、ペット用のトイレシート１である。
【００１８】
本考案において、トイレシートの裏面側の全面、又は、隅部、周辺部、中央部、その他の目的部分に粘着部を備える手段は、トイレシートの裏面側の想定粘着部に、両面粘着シート若しくはテープ（図示例）の片面を粘着し、または、同部分に粘着剤・接着剤等を塗布、印刷するなど、同部分に目的とする粘着力を付与する手段であれば任意である。
【００１９】
また、本考案は、トイレシートを床面等に展開敷設したときに、該トイレシートが粘着部の粘着力で簡単に捲れたり、剥がれたりしないように、また、該トイレシートを交換、廃棄等のために床面等から剥がし取るときに、床面等に粘着片が残存したり、剥がし跡や汚れが付着したりせず奇麗に剥がし取れるように、粘着部の粘着力を調整して備えたものである。
【００２０】
実施例１のトイレシートのサイズは、従来の１例のトイレシートと略寸法の３３ｃｍ×４３ｃｍ位に設けたものである。
【産業上の利用可能性】
【００２１】
本考案は、長方形その他形状、寸法任意な薄くて軽いシート状、シーツ状のトイレシートを、粘着部の作用・効果によって簡単に捲れたり、剥がれたりすることがないように予め構成した、ペット用として最適なトイレシートを広く、安価に提供し得る。
【００２２】
特に、近時大きな社会問題になりつつある、幼・老齢・病気等のペットの保育・看護・介護等用のトイレシートとして極めて便利に利用し得るものである。
【図面の簡単な説明】
【００２３】
【図１】本考案実施例１の表面図、及び、右側面図。
【図２】裏面図。
【図３】図１のＡ−Ａ線矢視断面一部拡大図。
【符号の説明】
【００２４】
１  ペット用のトイレシート（実施例１）
２  通水性不織布シート
３  吸水ポリマーシート
４  防水性プラスチックフイルム
５  粘着部
６  剥離紙
【図１】
0003121934.tif 000003
【図２】
0003121934.tif 000004
【図３】
0003121934.tif 000005